(57)【要約】【課題】少量のハガキ枚数に対応する偏平状でありながら、販促効果のある展示ができるハガキ梱包用ケースを提供する。【解決手段】偏平状の胴部の下部が閉じられて閉鎖部が形成された状態で、上方から胴部に複数枚のハガキを収納するようになっており、前板１には上辺側から大きく切り欠かれた開口部１ａが形成されており、背板の上辺には胴部の上方を閉じるための天板と胴部の前面を覆うカバー板１３が連設され、カバー板１３の上辺寄りのところにカバー板１３を二つ折りできる折り用罫線αが設けられ、先端には閉じた際に胴部の下部に係止するための手段が設けられており、背板には脚片１７が切込線と折罫により区画されている。背板の脚片１７を起こして自立状態とした後、複数枚のハガキを中に戻して店頭に設置することにより、背板の上方に表示部が形成されるとともに、偏平状でありながらも立てることができ、販促効果のある展示状態とできる。【選択図】図４
2011011772.tif 000002
【特許請求の範囲】
【請求項１】
広幅の前板及び背板と細幅の一対の側板とで偏平状の胴部が形成され、その胴部の下部が閉じられて閉鎖部が形成された状態で、上方から胴部に複数枚のハガキを収納するようになっており、前板には上辺側から大きく切り欠かれた開口部が形成されており、背板の上辺には胴部の上方を閉じるための天板と胴部の前面を覆うカバー板が連設され、カバー板の上辺寄りのところにカバー板を二つ折りできる横方向の折り用罫線が設けられ、先端には閉じた際に胴部の下部に係止するための手段が設けられており、背板には起こしてケース自体を自立させることができる脚片が切込線と折罫により区画されていることを特徴とするハガキ梱包用ケース。
【請求項２】
カバー板の中程に横方向の曲げ用罫線が設けられていることを特徴とする請求項１に記載のハガキ梱包用ケース。
【請求項３】
背板の内側に補強板が設けられていることを特徴とする請求項１又は２に記載のハガキ梱包用ケース。
【請求項４】
吊下げ手段が設けられていることを特徴とする請求項１〜３のいずれかに記載のハガキ梱包用ケース。
【請求項５】
請求項１〜４のいずれかに記載のハガキ梱包用ケースを使用し、その胴部に複数枚のハガキを収納したことを特徴とするハガキ梱包体。
【発明の詳細な説明】
【技術分野】
【０００１】
本発明は、ハガキを入れて送るケースに係り、詳しくは、地域限定ハガキや記念ハガキなどの特殊なハガキを各郵便局に送るために使用されるハガキ梱包用ケースに関するものである。
【背景技術】
【０００２】
一般にハガキは郵便局で取り扱われており、通常ハガキや往復ハガキは切手類とともに大量にストックされて店頭での販売に供されている。一方、最近では地域限定ハガキや記念ハガキなどの特殊なハガキが発行されているが、各郵便局ごとで見ればその販売数量は少なく、また販売期間に限定があったりするため、必要とする郵便局が依頼した分だけを数十枚程度の少量枚数ずつ製造者側から送るようにしている。
【０００３】
このように依頼のあった郵便局に向けて特殊ハガキを少量枚数で送るに際し、通常は帯で束ねたり袋等の簡単なパッケージに入れた状態で送るようにしている。そして、パンフレットなどを見た客からの注文があったときに郵便局の店頭にて少しずつ取り出して販売しているが、できれば専用の箱で送るとともに、送られてきた箱を利用してそのまま店頭にて陳列販売できれば販売促進の効果もあって便利である。
【０００４】
そこで、従来より、物品を搬送した箱やカートンを開封した後に店頭での展示用として使えるようにしたもの（特許文献１，２等参照）があるので、このような箱やカートンを利用することが考えられる。
【先行技術文献】
【特許文献】
【０００５】
【特許文献１】特開平８−９１３５７号公報
【特許文献２】実用新案登録第３１２０１７０号公報
【発明の概要】
【発明が解決しようとする課題】
【０００６】
ところが、このタイプの箱やカートンは、コンビニエンスストアやスーパーマーケットの店頭にて商品を販売するためのものであり、ハガキのような薄いシートを２０枚程度の少量枚数で入れるにはサイズが大きすぎる。そこで、前後の幅を小さくした偏平なケース状のものを使用することが考えられるが、偏平なものでは厚さが十分でないために横置きとなって店頭にて目立たせることができないという問題が生じる。
【０００７】
本発明は、上記のような問題に鑑みてなされたものであり、その目的とするところは、少量のハガキ枚数に対応する偏平状でありながら、販促効果のある展示ができるハガキ梱包用ケースを提供することにある。
【課題を解決するための手段】
【０００８】
上記の目的を達成するため、本発明のハガキ梱包用ケースは、広幅の前板及び背板と細幅の一対の側板とで偏平状の胴部が形成され、その胴部の下部が閉じられて閉鎖部が形成された状態で、上方から胴部に複数枚のハガキを収納するようになっており、前板には上辺側から大きく切り欠かれた開口部が形成されており、背板の上辺には胴部の上方を閉じるための天板と胴部の前面を覆うカバー板が連設され、カバー板の上辺寄りのところにカバー板を二つ折りできる横方向の折り用罫線が設けられ、先端には閉じた際に胴部の下部に係止するための手段が設けられており、背板には起こしてケース自体を自立させることができる脚片が切込線と折罫により区画されていることを特徴としている。
【０００９】
また、本発明のハガキ梱包用ケースは、上記の構成に加え、カバー板の中程に横方向の曲げ用罫線が設けられていることが好ましい。
【００１０】
また、本発明のハガキ梱包用ケースは、上記の構成に加え、背板の内側に補強板が設けられていることが好ましい。
【００１１】
また、本発明のハガキ梱包用ケースは、上記の構成に加え、吊下げ手段が設けられていることが好ましい。
【００１２】
そして、本発明のハガキ梱包体は、上記の何れかに記載したハガキ梱包用ケースを使用し、その胴部に複数枚のハガキを収納したことを特徴とするものである。
【発明の効果】
【００１３】
本発明のハガキ梱包用ケースは、送られたきたケースのカバー板を開け、中に収納されている複数枚のハガキを一旦取り出してから、カバー板を折り用罫線のところで二つ折りした状態となるようにして胴部に差し込むとともに、背板の脚片を起こして自立状態とした後、複数枚のハガキを中に戻して店頭に設置することにより、背板の上方に突き出た状態の表示部が形成されるとともに、偏平状でありながらも立てることができることから、販促効果のある展示状態とすることができる。
【００１４】
そして、カバー板の中程に横方向の曲げ用罫線が設けられていることにより、上記効果に加え、カバー板が折れ曲がりやすくなるので、胴部に差し込む際動作が行いやすくなるという効果を発揮する。
【００１５】
また、背板の内側に補強板が設けられていることにより、上記効果に加え、背板が補強されるので、しっかりと安定して設置することができ、しかも脚片が起立した後の開口が塞がれるので、裏側からほこりが入らないという利点もある。
【００１６】
また、吊下げ手段が設けられていることにより、上記効果に加え、自立状態と吊下げ状態の２通りの展示の仕方を選択することができ、各郵便局ごとに工夫した適切な場所にて展示販売することが可能となる。
【図面の簡単な説明】
【００１７】
【図１】本発明に係るハガキ梱包用ケースの一例を示す示す斜視図である。
【図２】図１のハガキ梱包用ケースを組み立てるブランクの展開図である。
【図３】ハガキ梱包用ケースを組み立てる様子を示す斜視図である。
【図４】組み立てたハガキ梱包用ケースを立てた状態で示す斜視図である。
【図５】背板の脚片を起こした状態を示す説明図である。
【図６】組み立てたハガキ梱包用ケースを吊るした状態で示す斜視図である。
【図７】ハガキ梱包用ケースの使用例を示す斜視図である。
【発明を実施するための形態】
【００１８】
次に、本発明の実施の形態について図面を参照しながら詳細に説明する。
【００１９】
図１に示すハガキ梱包用ケースは、図２に展開図を示すブランクを組み立て、中に２０枚の特殊ハガキを収納するものである。
【００２０】
図１のハガキ梱包用ケースＣを組み立てるためのブランクは、薄手の板紙を打ち抜いて形成された一枚もので、図２に示すように、広幅の前板１の右側に細幅の側板２と広幅の背板３とがそれぞれ折罫を介して連設され、前板１の左側に細幅の側板４と背板３より僅かに小さなサイズの補強板５とがそれぞれ折罫を介して連設されている。背板３と補強板５は前板１より少し上方に位置しており、それに関連して側板２，４の下辺は斜めになっている。そして、側板２，４のその斜めの下辺にはそれぞれ折罫を介して折込み片６，７が連設され、上辺にはそれぞれミシン目線を介して折込み片８，９が連設されており、前板１と背板３の下辺にはそれぞれ折罫を介して外側閉鎖板１０、内側閉鎖板１１が連設されている。
【００２１】
前板１には、上辺側から図示のように略矩形状に大きく切り欠かれた開口部１ａが形成されている。背板３には、その上辺に側板２，４と同幅の天板１２が折罫を介して連設され、その天板１２の上辺には背板３と略同じサイズのカバー板１３が連設されている。このカバー板１３には、その下辺寄りのところにカバー板１３の二つ折りを可能とするための横方向の折罫が折り用罫線αとして設けられており、さらに、カバー板１３の中程にはカバー板１３を折り曲げやすくするために横方向の折罫が曲げ用罫線βとして設けられている。
【００２２】
また、カバー板１３の上辺には、折罫を介して側板２，４より僅かに広い幅の延長板１４が連設されており、その延長板１４の先端中程には差込み片１５が折曲げ可能に連設されている。そして、背板３とその下辺に連設する内側閉鎖板１１との境界には、組立時において差込み片１５を差し込んで係止することのできる長さでスリットｓが形成され、そのスリットｓの中央に指先サイズの引出し用孔１６が形成されており、補強板５の下端縁には組立時において差込み片１５が入るスペースとして凹所５ａが形成されている。
【００２３】
背板３には、途中にツナギのある切込線ａと縦方向の折罫ｂとにより左右に対称な脚片１７，１７が区画され、切込線ｃと横方向の折罫ｄとにより係合片１８が区画されており、これらの脚片１７，１７と係合片１８は起こした状態で互いに係合してケース自体を傾斜状態に保持するようになっている。また、脚片１７，１７の外側には、これらを起こす際の切っ掛けとなる起こし用孔１９が形成されている。なお、脚片と係合片の形状は図示の例に限るものではなく、公知のどのような形状であっても構わない。
【００２４】
さらに、このブランクでは、カバー板１３を折り用罫線αで二つ折りしたときに重なる位置でしかもその折り用罫線αに隣接するところに、ツナギのある円形状の切込線ｅ，ｆにより２つの吊り孔形成部が区画されている。
【００２５】
図２のブランクからなるケースの中に２０枚の特殊ハガキを収納して図１に示すハガキ梱包用ケースＣを形成するが、第一段階として、図２のブランクをサック貼りして充填工程に供給する。具体的には、補強板５と側板４を前板１に対して折り返し、補強板５に糊付けするとともに、背板３を側板２に対して折り返すことで補強板５に被せてサック貼りする。このサック貼りは、脚片１７，１７と係合片１８のところを糊付けしないで行うことは言うまでもない。このようにサック貼り状態で折り畳んだブランクを複数枚まとめて充填工程に送り、そこで２０枚のはがき収納してハガキ梱包体を組み立てる。
【００２６】
充填工程では、まず、サック貼り状態で折り畳まれたブランクを起こし、広幅の前板１及び背板３と細幅の一対の側板２，４とで偏平状の胴部を形成する。次いで、下部の折込み片６，７を折り込んでから、内側閉鎖板１１、外側閉鎖板１０の順に折り曲げて糊付けすることで胴部の下部を閉じて閉鎖部を形成する。このように下部を閉じると、側板２，４の下辺が斜めになっているので、閉鎖部は前板１から背板３にかけて上向き方向に傾斜した形状になる。
【００２７】
このようにサック貼り状態のものを起函して下部を閉じた後、前板１の開口部１ａから胴部の中に２０枚の特殊ハガキを挿入し、上部の折込み片８，９を折り込んでから、前板１の前面を覆うようにして天板１２とカバー板１３を折り曲げ、さらに、カバー板１３に連設する延長板１４を折り曲げ、その延長板１４の先端中程にある差込み片１５を背板３と内側閉鎖板１１との境界にあるスリットｓに差し込んで係止させる。これにより、カバー板１３は前板１の開口部１ａを覆った状態で胴部の下部に係止された図１に示す形状となる。
【００２８】
図１に示すハガキ梱包用ケースＣは、注文のあった郵便局に必要個数を送付する。そして、受け取った郵便局では、販売に際してこのハガキ梱包用ケースＣを開封して店頭にて展示する。その手順は次のようである。
【００２９】
まず、背板３の下部にある引出し用孔１６に指をあてがって差込み片１５をスリットｓから引き出すことで、カバー板１３を天板１２とともに大きく開ける。そして、中に収納されている２０枚の特殊ハガキを一旦取り出してから、図３に示すように、両サイドの折込み片８，９をミシン目線のところで切り取り、カバー板１３を折り用罫線αのところで二つ折りした状態となるようにして胴部に差し込む。この時、カバー板１３は曲げ用罫線βのところで折り曲げやすくなっているので、胴部が偏平状であるにもかかわらず比較的簡単に差し込むことができる。
【００３０】
さらに、背板３に区画した一対の脚片１７，１７を起こして、図４に示すような自立状態とする。この例では、起こし用孔１９に指をあてがって脚片１７を引き起こすことにより脚片１７を折罫ｂで直角に立てた後、係合片１８を折罫ｄで直角に立てることにより両者を係合させて図５に示す如く組み立てる。このような自立状態にしても、背板３はその内側にある補強板５によって強度のある状態になっているので、起こした脚片１７，１７はしっかりとした状態を維持することができる。また、脚片１７，１７を起こした後の開口は補強板５によって塞がれた状態になる。
【００３１】
このようにケースを自立状態とした後、特殊ハガキを胴部の中に戻してから、店頭のカウンターなどの台上に設置し、特殊ハガキの店頭での展示販売を行う。このとき、底の閉鎖部は前板１から背板３にかけて上向き方向に傾斜しているため、底全体が台に接触した安定した状態で台の上に設置することができる。そして、カバー板１３を二つ折りして胴部に差し込んだことで、背板３の上方に表示部が突き出た状態で形成されるので、この目立つ部分を利用して宣伝を行うことができる。また、カバー板１３は二つ折り状態になっているので、その折り癖の反発力により、収納した特殊ハガキに接する部分が前方に出ようとし、販売時においてハガキの枚数が少なくなってきたときに前方に押されて隙間がなくなり、ハガキはケース中で踊らない状態が維持される。
【００３２】
このハガキ梱包用ケースＣは、開封した後に上記の如く背板３の脚片１７，１７を起こして自立状態で展示できるが、吊下げ状態で展示することもできる。この例では、折り用罫線αのところで二つ折りしたカバー板１３にある円形状の切込線ｅ，ｆのところを抜いて貫通した吊り孔を形成し、図６に示すように、この吊り孔を吊下げ手段として、店頭にあるフックＦに吊り下げて展示販売することができる。
【００３３】
なお、店頭に適当なフックがないような場合にあっては、二つ折りしたカバー板１３の折目の内側に紐を通して吊下げ手段とし、この紐を利用して任意の場所に吊り下げて展示販売することも可能である。
【００３４】
図１のハガキ梱包用ケースＣは、図２に示す一枚のブランクで形成するため、ハガキ梱包体としたときに表側となる部分すべてに印刷を施せるため、商品としての見栄えのよいものとなる。しかも、展示販売のために組み立てたときに表側となるすべての部分、特にハガキの背面側には二つ折りしたカバー板が位置するので、ここに印刷した所定の絵柄を利用して販促効果をより高いものにすることができる。
【００３５】
図７は本発明の具体的な一例を示すもので、特殊ハガキＨとして地域限定ハガキを販売するハガキ梱包用ケースＣである。具体的には、富士山を型取った静岡県・山梨県限定のご当地フォルムカードを展示販売する。購入者は、現地の郵便局またはポスタルスクウェアでこのようなご当地フォルムカードを購入し、ハガキとして郵送することで、郷土や我が家の近況を大切な人に知らせたり、旅行先から送ったりなど、メッセージと一緒に各地の空気まで届けるという使い方ができる。
【００３６】
以上、本発明を実施するための形態について詳細に説明してきたが、本発明によるハガキ梱包用ケースは、上記の形態に何ら限定されるものではなく、本発明の趣旨を逸脱しない範囲において種々の変更が可能であることは当然のことである。
【符号の説明】
【００３７】
Ｃ  ハガキ梱包用ケース
Ｆ  フック
Ｈ  特殊ハガキ
１  前板
１ａ  開口部
２  側板
３  背板
４  側板
５  補強板
５ａ  凹所
６，７  折込み片
８，９  折込み片
１０  外側閉鎖板
１１  内側閉鎖板
１２  天板
１３  カバー板
１４  延長板
１５  差込み片
１６  引出し用孔
１７  脚片
１８  係合片
１９  起こし用孔
α  折り用罫線
β  曲げ用罫線
ａ，ｃ  切込線
ｂ，ｄ  折罫
ｅ，ｆ  切込線
【図１】
2011011772.tif 000003
【図２】
2011011772.tif 000004
【図３】
2011011772.tif 000005
【図４】
2011011772.tif 000006
【図５】
2011011772.tif 000007
【図６】
2011011772.tif 000008
【図７】
2011011772.tif 000009